(57)【要約】  本発明は、情報にデジタル画像化を行い、画像化された情報（ＩＮＦＯ）の少なくとも一部が少なくとも１つのターゲット（５０）内に埋め込まれた、コンテンツ（ＣＯＮＴ１−ＣＯＮＴ３）を含む情報（ＩＮＦＯ）を処理する方法に関する。さらに、本方法においては、デジタル画像化された情報（ＩＮＦＯ）に属するコンテンツの少なくとも一部が認識され、それに基づいて、認識されたコンテンツのための少なくとも１つのターゲットが定められる。【選択図】図１
2008519345.tif 000002
【特許請求の範囲】
【請求項１】
情報（ＩＮＦＯ）にデジタル画像化を施し、
前記画像化された情報（ＩＮＦＯ）の少なくとも一部が、少なくとも１つのターゲット（５０）内に埋め込まれた、
コンテンツ（ＣＯＮＴ１−ＣＯＮＴ３）を含む情報（ＩＮＦＯ）を処理する方法であって、
前記デジタル画像化された情報（ＩＮＦＯ）に属する前記コンテンツ（ＣＯＮＴ１−ＣＯＮＴ３）の少なくとも一部を認識し、それに基づいて、
前記認識されたコンテンツ（ＣＯＮＴ１−ＣＯＮＴ３）のために、少なくとも１つのターゲット（５０）が定められる、
ことを特徴とする方法。
【請求項２】
前記ターゲットは、少なくとも幾つかが同じアプリケーション・スイート（６０）に属する、少なくとも１つのアプリケーション・ソフトウェア（５０−５３）であることを特徴とする請求項１に記載の方法。
【請求項３】
少なくとも幾つかのアプリケーション・ソフトウェア（５０−５３）は、情報を埋め込むことができる、例えばテンプレートのような定型化要素（７０−７３）を含み、前記ターゲットは、少なくとも１つの定型化要素（７０−７３）であることを特徴とする請求項１又は請求項２に記載の方法。
【請求項４】
ターゲット（５０−５３、７０−７３）は、前記情報（ＩＮＦＯ）から認識された前記コンテンツ（ＣＯＮＴ１−ＣＯＮＴ３）に基づいて提案される（ステップ３０３）ことを特徴とする請求項１乃至請求項３のいずれか１項に記載の方法。
【請求項５】
ターゲット（５０−５３、７０−７３）は、前記情報（ＩＮＦＯ）から認識された前記コンテンツ（ＣＯＮＴ１−ＣＯＮＴ３）に基づいて確立される（ステップ３０３）ことを特徴とする請求項１乃至請求項３のいずれか１項に記載の方法。
【請求項６】
前記情報（ＩＮＦＯ）を画像化する前に、前記コンテンツ（ＣＯＮＴ１−ＣＯＮＴ３）に選択アクションが行われる（ステップ２０３）ことを特徴とする請求項１乃至請求項５のいずれか１項に記載の方法。
【請求項７】
前記コンテンツ（ＣＯＮＴ１−ＣＯＮＴ３）の選択は、前記画像化された情報（ＩＮＦＯ）から行われる（ステップ２０５）ことを特徴とする請求項１乃至請求項６のいずれか１項に記載の方法。
【請求項８】
パターン認識知識（ＰＡＴ、ＭＥＴＡ）は、前記情報（ＩＮＦＯ）からの前記コンテンツ（ＣＯＮＴ１−ＣＯＮＴ３）の認識において、及び／又は、該コンテンツ（ＣＯＮＴ１−ＣＯＮＴ３）のための前記ターゲット（５０−５３、７０−７３）の定義において適用され、及び／又は、該コンテンツ（ＣＯＮＴ１−ＣＯＮＴ３）を該ターゲット（５０−５３、７０−７３）にマッピングすることを特徴とする請求項１乃至請求項７のいずれか１項に記載の方法。
【請求項９】
コンテンツ（ＣＯＮＴ１−ＣＯＮＴ３）を含む情報（ＩＮＦＯ）を画像化するための第１の手段（ＣＡＭ）と、
前記情報（ＩＮＦＯ）のために、１つ又はそれ以上のターゲット（５０−５３、７０−７３）が配置されたメモリ（ＭＥＭ）と、
所望の用途のために、前記画像化された情報（ＩＮＦＯ）の少なくとも一部を少なくとも１つのターゲット（５０、７０）内に埋め込むための第２の手段（ＣＰＵ）と、
を含む電子機器（１０）であって、
前記デジタル画像化された情報（ＩＮＦＯ）に属する前記コンテンツ（ＣＯＮＴ１−ＣＯＮＴ３）の少なくとも一部が、前記第２の手段（ＣＰＵ）によって認識されるように適合され、どのコンテンツ（ＣＯＮＴ１−ＣＯＮＴ３）かに基づいて、少なくとも１つのターゲット（５０、７０）が、前記認識されたコンテンツ（ＣＯＮＴ１−ＣＯＮＴ３）のために定められるように適合されたことを特徴とする電子機器。
【請求項１０】
前記ターゲットは、確立された形式のコンテンツ（ＣＯＮＴ１−ＣＯＮＴ３）を処理するように適合された、少なくとも１つのアプリケーション・ソフトウェア（５０−５３）であることを特徴とする請求項９に記載の機器（１０）。
【請求項１１】
少なくとも幾つかのアプリケーション・ソフトウェア（５０−５３）は、同じアプリケーション・スイート（６０）に属することが好ましいことを特徴とする請求項９又は請求項１０に記載の機器（１０）。
【請求項１２】
少なくとも幾つかのアプリケーション・ソフトウェア（５０−５３）は、情報（ＩＮＦＯ）を埋め込むことができる、例えばテンプレートのような定型化要素（７０−７３）を含み、前記ターゲットは、少なくとも１つの定型化要素（７０−７３）であることを特徴とする請求項９乃至請求項１１のいずれか１項に記載の機器（１０）。
【請求項１３】
前記ターゲット（５０−５３、７０−７３）は、前記情報（ＩＮＦＯ）から認識された前記コンテンツ（ＣＯＮＴ１−ＣＯＮＴ３）に基づいて提案されるように適合されたことを特徴とする請求項９乃至請求項１２のいずれか１項に記載の機器（１０）。
【請求項１４】
前記ターゲット（５０−５３、７０−７３）は、前記情報（ＩＮＦＯ）から認識された前記コンテンツ（ＣＯＮＴ１−ＣＯＮＴ３）に基づいて確立されるように適合されたことを特徴とする、請求項９乃至請求項１２のいずれか１項に記載の機器（１０）。
【請求項１５】
前記情報（ＩＮＦＯ）を画像化する前に、前記コンテンツ（ＣＯＮＴ１−ＣＯＮＴ３）が選択されるように適合されたことを特徴とする請求項９乃至請求項１４のいずれか１項に記載の機器（１０）。
【請求項１６】
表示手段（ＤＩＳＰ）を含み、コンテンツ（ＣＯＮＴ１−ＣＯＮＴ３）は、前記表示手段（ＤＩＳＰ）によって視覚化された前記画像化された情報（ＩＮＦＯ）から選択されるように適合されたことを特徴とする請求項９乃至請求項１５のいずれか１項に記載の機器（１０）。
【請求項１７】
前記機器（１０）には、前記情報（ＩＮＦＯ）から前記コンテンツ（ＣＯＮＴ１−ＣＯＮＴ３）を認識するための、及び／又は、該コンテンツ（ＣＯＮＴ１−ＣＯＮＴ３）のために前記ターゲット（５０−５３、７０−７３）を定めるための、及び／又は、該コンテンツ（ＣＯＮＴ１−ＣＯＮＴ３）を前記ターゲット（５０−５３、７０−７３）にマッピングする、パターン認識知識（ＰＡＴ、ＭＥＴＡ）が与えられることを特徴とする請求項９乃至請求項１６のいずれか１項に記載の機器（１０）。
【請求項１８】
前記機器（１０）には、前記コンテンツ（ＣＯＮＴ１−ＣＯＮＴ３）に従って前記ターゲット（５０−５３、７０−７３）を管理するためのアダプタ（ＡＰＰＡＤ）が与えられることを特徴とする請求項９乃至請求項１７のいずれか１項に記載の機器（１０）。
【請求項１９】
格納媒体（ＭＥＭ）と、プロセッサ手段（ＣＰＵ）によって実行することができ、前記格納媒体（ＭＥＭ）内に書き込まれ、入力としてデジタル画像化された情報（ＩＮＦＯ）を受信し、それを少なくとも１つのターゲット（５０−５３、７０−７３）のために処理し、前記情報（ＩＮＦＯ）の少なくとも一部を少なくとも１つのターゲット（５０、７０）内に埋め込むように適合されたプログラム・コード（３１）とを含む、コンテンツ（ＣＯＮＴ１−ＣＯＮＴ３）を含む情報（ＩＮＦＯ）を処理するためのソフトウェア製品（３０）であって、前記プログラム・コード（３１）は、
前記デジタル画像化された情報（ＩＮＦＯ）に属する前記コンテンツ（ＣＯＮＴ１−ＣＯＮＴ３）の少なくとも一部を認識するように構成された第１のコード手段（３１．１）と、さらに、
前記認識されたコンテンツ（ＣＯＮＴ１−ＣＯＮＴ３）のために少なくとも１つのターゲット（５０、７０）を定めるように構成された第２のコード手段（３１．２）と、
を含むことを特徴とするソフトウェア製品。
【請求項２０】
前記ターゲットは、アプリケーション・ソフトウェア（５０−５３）であることを特徴とする請求項１９に記載のソフトウェア製品（３０）。
【請求項２１】
前記少なくとも幾つかのアプリケーション・ソフトウェア（５０−５３）は、情報（ＩＮＦＯ）を埋め込むことができる、例えばテンプレートのような定型化要素（７０−７３）を含み、前記ターゲットは、少なくとも１つの定型化要素（７０−７３）であることを特徴とする請求項１９又は請求項２０に記載のソフトウェア製品（３０）。
【請求項２２】
前記プログラム・コード（３１）は、主として、前記デジタル画像化に関連して同時に実行されるように適合されたことを特徴とする請求項１９乃至請求項２１のいずれか１項に記載のソフトウェア製品（３０）。
【請求項２３】
前記プログラム・コード（３１）は、前記情報（ＩＮＦＯ）から認識された前記コンテンツ（ＣＯＮＴ１−ＣＯＮＴ３）に基づいて、ターゲット（５０−５３、７０−７３）を提案するように構成された第３のコード手段（３１．３）も含むことを特徴とする請求項１９乃至請求項２２のいずれか１項に記載のソフトウェア製品（３０）。
【請求項２４】
前記プログラム・コード（３１）は、前記情報（ＩＮＦＯ）から認識された前記コンテンツ（ＣＯＮＴ１−ＣＯＮＴ３）に基づいて、ターゲット（５０−５３、７０−７３）を確立するように構成された第４のコード手段（３１．４）も含むことを特徴とする請求項１９乃至請求項２３のいずれか１項に記載のソフトウェア製品（３０）。
【請求項２５】
前記プログラム・コード（３１）は、前記画像化された情報（ＩＮＦＯ）から選択されることになるコンテンツ（ＣＯＮＴ３）を定めるように構成された第５のコード手段（３１．５）も含むことを特徴とする請求項１９乃至請求項２４のいずれか１項に記載のソフトウェア製品（３０）。
【請求項２６】
前記プログラム・コード（３１）は、前記情報（ＩＮＦＯ）が画像化される前に選択されることになるコンテンツ（ＣＯＮＴ３）を定めるように構成された第６のコード手段（３１．６）も含むことを特徴とする請求項１９乃至請求項２５のいずれか１項に記載のソフトウェア製品（３０）。
【請求項２７】
前記プログラム・コード（３１）は、前記コンテンツ（ＣＯＮＴ１、ＣＯＮＴ２、８０、８１．１）を前記ターゲット（５２）内に埋め込み、例えば、該ターゲット（５２）に適した該コンテンツ（ＣＯＮＴ１、ＣＯＮＴ２、８０、８１．１）の変換を行うように構成された第７のコード手段（３１．７）も含むことを特徴とする請求項１９乃至請求項２６のいずれか１項に記載のソフトウェア製品（３０）。
【請求項２８】
前記プログラム・コード（３１）のコード手段（３１．１−３１．６）の少なくとも一部は、前記アプリケーション・ソフトウェア（５０−５３）と共に統合されることを特徴とする請求項１９乃至請求項２８のいずれか１項に記載のソフトウェア製品（３０）。
【請求項２９】
前記情報（ＩＮＦＯ）からコンテンツ（ＣＯＮＴ１−ＣＯＮＴ３）を認識するための、及び／又は、前記コンテンツ（ＣＯＮＴ１−ＣＯＮＴ３）のためにターゲット（５０−５３、７０−７３）を定めるための、及び／又は、該コンテンツ（ＣＯＮＴ１−ＣＯＮＴ３）を前記ターゲット（５０−５３、７０−７３）にマッピングする、パターン認識知識（ＰＡＴ、ＭＥＴＡ）が、前記プログラム・コード（３１）と共に配置されることを特徴とする請求項１９乃至請求項２８のいずれか１項に記載のソフトウェア製品（３０）。
【請求項３０】
間に配置された選択されたインターフェースを用いてデータを２つの装置間で伝送する、データ伝送インターフェースを電子装置間に配置する方法であって、前記方法は、
情報（ＩＮＦＯ）を有する第１の装置において、前記データを情報（ＩＮＦＯ）として視覚化し、
前記情報（ＩＮＦＯ）が、第２の装置によってデジタル画像化され、
前記画像化された情報（ＩＮＦＯ）が、伝送されることになる前記データとなるように変換される、
段階において行われ、
前記データ伝送インターフェースは、カメラ・インターフェースであることを特徴とする方法。
【請求項３１】
請求項１乃至請求項８のいずれか１項に記載の方法と共に用いるように適合させることができることを特徴とするカメラ要素（ＣＡＭ）。
【請求項３２】
請求項９至請求項１８のいずれか１項に記載の電子機器（１０）において使用するように適合させることができることを特徴とするカメラ要素（ＣＡＭ）。
【請求項３３】
電子情報を形成するための、請求項１乃至請求項８のいずれか１項に記載の方法の使用。
【請求項３４】
電子情報を形成するための、請求項９乃至請求項１８のいずれか１項に記載の電子機器（１０）の使用。
【発明の詳細な説明】
【技術分野】
【０００１】
本発明は、
−情報にデジタル画像化を施し、
−画像化された情報の少なくとも一部が、少なくとも１つのターゲット内に埋め込まれる、コンテンツを含む情報を処理する方法に関する。さらに、本発明はまた、本発明による方法を実施するための対応する電子機器及びソフトウェア製品にも関する。
【背景技術】
【０００２】
例えば、携帯用電子機器のエンドユーザにとっては、周知の方法で、例えば、Ｏｆｆｉｃｅ文書のようなアプリケーション文書の作業を行うのは、複雑で時間がかかる。機器の小型で限定されたキーパッド及びディスプレイを用いて、Ｏｆｆｉｃｅ文書（例えば、Ｗｏｒｄ、Ｅｘｃｅｌ、又はＰｏｗｅｒＰｏｉｎｔテンプレート上の）の作業を行うのは、特に困難である。
【０００３】
もともと電子的形態ではない情報を、何らかの代替的な物理的媒体から電子的形態にすることも困難である。実際には、機器上でそれをもう一度初めから行わなくてはならない。これらは、携帯用機器のユーザにとって非常にもどかしく、したがって、非常に重要な有用性の問題を構成する。
【０００４】
携帯用機器では、情報の供給手段及び表示手段が非常に制限されており、そのため、例えば、テキスト、表、及び図などのコンテンツを生成する際の使用が制限されていることは、周知の事実である。さらに、未熟なユーザにとっては、各々のタイプのコンテンツに最も適したアプリケーションの選択を判断するのは困難である。
【０００５】
携帯用機器におけるコンテンツの生成に関する最新技術を示す基本的な解決法は、様々な事務機器を使用して文書を作成し、それらを使用して完成した文書を書くことである。次いで、結果として得られた文書を携帯用機器に転送することができる。しかしながら、ユーザが、互いに別々に位置する２つの機器を使用しなければならないため、これは、有用性の観点から好ましくない。
【０００６】
最新技術を示す別の解決法は、携帯用機器の特定の領域内に情報を書き込み、そこから、例えば、手書き文字認識を用いて、情報を電子的形態に変換することができるというものである。この種の解決法の例は、ペンの動きを認識する描画領域内に情報を入力するために用いられるＰａｌｍ型の機器で知られる「描画ペン」である。
【０００７】
別の幾分高度な最新技術の解決法は、非電子情報を電子的形態に変換するために、様々な携帯用機器内に配置されたカメラ機器を利用するというものである。１つのそのような解決法が、米国特許第６，２０２，０６０  Ｂ１号（Ｔｒａｎ）に提示される。ここでも、ユーザは、依然として、関係しているアプリケーション・ソフトウェアに関するステップの選択、設定、及び編集ステップを実行する必要があり、こうしたステップは、少なくとも未熟なユーザの場合、望んでいる結果につながらないか、又は少なくとも望んでいる種類の結果に到達するのが非常に困難である。
【発明の開示】
【０００８】
エンドユーザの観点から見て、容易であり、特に携帯用機器における利用に好適である、選択されたターゲットのために情報を処理する方法を提供することが、本発明の目的である。本発明による方法の特性が添付の請求項１に提示され、機器の特性が請求項９に提示される。さらに、本発明は、その特性が添付の請求項１９に提示される対応するソフトウェア製品にも関する。
【０００９】
本発明による方法において、
−コンテンツを含む情報にデジタル画像化を施し、
−画像化された情報の少なくとも一部が、少なくとも１つのターゲット内に埋め込まれる。
さらに、本方法において、
−デジタル画像化された情報に属するコンテンツの少なくとも一部を認識し、それに基づいて、
−認識されたコンテンツのために、少なくとも１つのターゲットが定められる。
【００１０】
本発明の文脈において、ターゲットを非常に広義に理解することができる。第１の実施形態によれば、ターゲットは、例えば、少なくとも１つのアプリケーション・ソフトウェアとすることができる。他の実施形態によれば、ターゲットは、少なくとも１つの定型化要素、又は、例えば何らかのアプリケーション・ソフトウェアにおける既存の文書とすることができる。アプリケーション・ソフトウェア又は定型化テンプレートは、確立された形式のコンテンツに特化することができ、本発明を用いて、認識されたコンテンツに基づいて選択することができる。他方、特定のタイプのコンテンツを、その種のコンテンツのために必要なデフォルト・ソフトウェアではないアプリケーション・ソフトウェアに埋め込むことができる。本発明のため、ユーザが、もはや最適なアプリケーション・ソフトウェア又は定型化テンプレートの選択に苦労する必要はなくなり、機器内に配置された特別な知識を利用して選択を行うことができる。
【００１１】
第１の実施形態によると、ターゲットは、機器によって提案されてもよく、或いは、情報において認識されたコンテンツに基づいて、機器によって自動的に選択されてもよい。提案に基づいて、ユーザは、できる限り予め選別されたアプリケーション・リストから最適なアプリケーションを判断することができ、このリストは、認識されたコンテンツを考慮した上で機器によって配置することさえ可能である。本発明により、コンテンツにとって最適な格納形式を容易に決定することも可能になる。内部に配置された知識ベースを利用することによって機器がターゲットの選択を自動的に行う場合には、これにより、エンドユーザが、アプリケーションの選択についての判断を行う必要さえもなくなる。機器の有用性の観点から、このことは非常に重要である。
【００１２】
可能なターゲット・アプリケーションの少なくとも幾つかが、コンテンツを埋め込むことができる１つ又はそれ以上の定型化要素も含む場合には、別の実施形態により、情報から認識されたコンテンツのために少なくとも１つの定型化要素を定めることが可能である。他方、何らかのアプリケーション・ソフトウェアの選択又は設定なしで、定型化要素の選択又は設定を用いることができる。
【００１３】
定型化要素に関連する特徴は、コンテンツを生成するためのエンドユーザの動作も容易にする。このことは、例えば、表示する文字又は美的体裁を改善するために、アプリケーションが、多くの場合、コンテンツを埋め込むことができる、何十もの、さらに何百ものパターン・ベース、スタイル、グラフィック要素、及び編集を含むという事実からも言える。機器が、エンドユーザに、認識されたコンテンツに最適な定型化要素を提案する場合には、エンドユーザは、無限にも見える要素のブラウジングを回避する。定型化要素の場合にも、勿論、機器によって行われる自動選択も可能である。
【００１４】
本発明による方法において、ターゲットのためのコンテンツの選択を、幾つかの異なる方法で行うことができる。第１の実施形態によると、情報を画像化する前でも、選択を行うことができる。別の実施形態によると、コンテンツが既に画像化され、既に電子データに変換されたときだけ、上記に加えて又は代替的に、コンテンツを選択することができる。コンテンツを選択することが可能なので、読み取り可能な情報において生じ得る如何なる不要なコンテンツも、所望のコンテンツをターゲット内に埋め込む際の困難をもたらさない。
【００１５】
本発明により、コンテンツの生成に関連する多くの利点が達成される。第１に達成される利点は、少なくとも部分的に既成のものである準備された材料を正式な電子文書として利用することである。エンドユーザは、例えば、何らかの加工しないプレゼンテーション媒体を利用することによって、コンテンツを生成することができる。そこから、コンテンツは、最適のアプリケーションにおいて所望の方法で使用するために、容易に苦労なく電子的形態に変換される。
【００１６】
本発明により、画像化及び画像認識を用いて、より一般的には、デジタル画像化を利用することによって、元の、例えば非電子媒体から直接的に、例えば、Ｏｆｆｉｃｅ文書のようなアプリケーション文書を生成することが可能になる。
【００１７】
本発明のもう１つの驚くべき態様は、２つ又はそれ以上の電子機器の間でデータを伝送するインターフェースとして、カメラ・インターフェースを使用するというものである。第１の機器によって、情報を視覚化することができる。次に、視覚化された情報は、更なるアクションのために情報を伝送することが望ましい、機器に接続されたカメラ手段を有する第２の機器によって画像化される。本発明のこの態様は、極めて簡単な方法で、装置間にデータ・インターフェースを配置することを可能にする。このため、ユーザは、例えば、異なる種類の機器のカテゴリ間の可能な物理的インターフェース又は無線インターフェースに関する如何なる特定の知識もなく、文書の視覚化されたコンテンツから画像を撮影するだけで、１つの装置から別の装置に文書を移動させることができる。
【００１８】
本発明を特徴付ける他の特徴は、添付の特許請求の範囲から明らかになり、さらに得られる利点が、本明細書内に列挙される。
【発明を実施するための最良の形態】
【００１９】
下記に提示される実施形態に限定されない本発明が、添付の図面を参照することによって、より詳細に説明される。
本発明は、情報ＩＮＦＯを処理する方法と、該方法を実施する電子機器１０に関する。説明及び図において、「データ」という用語が説明される。本発明との関連において、「データ」という用語及び「情報」という用語は、同意語として理解されるべきである。電子機器を使用して処理されるとき、情報がデータ形式であることは、当業者には明白である。
【００２０】
図１は、本発明による方法の基本的な例の大まかなフローチャート図である。より正確には、本発明は、例えば、カメラＣＡＭと、画像、パターン及びテキスト認識３１．２、ＩＭＰＡＲＥＣ、ＴＥ、並びにメタデータＭＥＴＡを用いて、例えば、携帯用機器内の、例えば、既存のソースＰから、例えば、Ｏｆｆｉｃｅ文書のような電子コンテンツをもたらすことに関する。図１乃至図３に示される方法の説明において、本発明による電子機器１の図４に示される基本的な適用例が説明され、大まかな概略図として示される。さらに、機器１０において本発明による方法を実施するために用いることができる、図５に示されるソフトウェア製品３０も説明される。
【００２１】
エンドユーザは、自分が少なくとも部分的に電子的形態に変換したいと望む、非電子的形態の情報ＩＮＦＯを視覚化した。本実施形態の場合、情報ＩＮＦＯのソースは、例えば、図６に示されるような本のページ又は一枚の紙Ｐである。情報ＩＮＦＯは、コンテンツＣＯＮＴ１−ＣＯＮＴ４を含む。本発明の文脈においては、コンテンツＣＯＮＴ１−ＣＯＮＴ４を非常に広く理解することができる。コンテンツＣＯＮＴ１−ＣＯＮＴ４は、例えば、テキストＣＯＮＴ２、数値データ、表ＣＯＮＴ１、描画、画像ＣＯＮＴ３、グラフィック記述子、図表、プレゼンテーション・グラフィックスＣＯＮＴ４、ライン８０、パターン等とすることができる。「コンテンツ」という用語はまた、本発明との関連において、オブジェクトとして理解することもできる。さらに、コンテンツは、様々なスタイルの定型部分７０−７３（テンプレート）を含むこともできる。可能な情報ソースの幾つかの別の例は、同様に一般的な、物理的な有形の印刷物、フリップオーバー・パッド、さらに電子通信機器の視覚化手段（例えば、ビデオ・プロジェクタの場合のスクリーン、或いは移動局又はＰＣコンピュータのディスプレイ）等である。
【００２２】
他の実施形態において、情報ＩＮＦＯは、少なくとも部分的に手作業で、又は少なくとも部分的に何らかの電子機器を用いて生成することができ、態様は、本発明によって決して制限されない。情報ＩＮＦＯは、何らかの非常に使いやすくて単純な基本アプリケーション・プログラム（例えば、ＭＳ  Ｗｉｎｄｏｗｓ（登録商標）環境におけるＮｏｔｅｐａｄ又はＷｏｒｋｐａｄアプリケーション）を用いて、例えば、携帯用コンピュータのような電子機器内に生成することができた。情報ＩＮＦＯを生成した後、この情報ＩＮＦＯは、例えば、紙に印刷され、そのため、場合によっては、選択された部分から情報ＩＮＦＯを補完することもできる。他方、情報ソースは、驚くことに、コンピュータのディスプレイＭとしてさえもよく、そこで、情報がエンドユーザのために視覚化され、エンドユーザが情報を全体としてもたらす。
【００２３】
情報ＩＮＦＯのソースが、例えば、コンピュータのディスプレイＭである場合（図４）、本発明は、２つの機器間にデータ伝送インターフェースを配置する方法を可能にする。生成された情報は、情報が生成された又はインターネットからロードされた、機器のディスプレイで視覚化される。例えば、情報を移動局１０に移動させることが望まれる場合には、情報は、機器１０のカメラ手段ＣＡＭによって画像化される。その後、本発明による画像化プロセス動作が行われる。このインターフェース特徴によって達成される利点の一例は、ユーザが電子メールで文書を送信したい場合に、文書がインターネット接続なしにラップトップによって生成されることである。この実施形態によると、如何なる有線又は無線の接続設定もなしに行われる画像化だけが必要とされる。
【００２４】
図１を参照すると、エンドユーザが、自分の機器１０から、本発明によるソフトウェア３１を作動させるとき、方法と併せて、初めに幾つかの設定ステップを行うことができる。ステップ（ｉ）において、ユーザは、機器１０のカメラＣＡＭで最適な情報ＩＮＦＯに照準を定め、カメラＣＡＭにより情報ＩＮＦＯを光学的にキャプチャすることによって、情報ＩＮＦＯのソースＰの画像を撮る。
【００２５】
ステップ（ｉｉ）において、キャプチャされた情報ＩＮＦＯは、機器１０において、電子データＤＡＴＡ１−ＤＡＴＡ３に変換される。変換は、例えば、画像処理チェーン又は対応するソフトウェアＩＣＳにおいて、カメラ機器ＣＡＭからといった周知の方法で行うことができる。
【００２６】
ステップ（ｉｉｉ）において、電子データＤＡＴＡ１−ＤＡＴＡ３から、情報ＩＮＦＯに属するコンテンツＣＯＮＴ１−ＣＯＮＴ４が認識される。このために、機器１０は、以下に詳述される対応する機能を含む。データＤＡＴＡ１−ＤＡＴＡ３から、機器１０のプロセッサ手段ＣＰＵが、例えば、情報ＩＮＦＯのタイプ、スタイル、及びプレゼンテーション方法に関する事項を認識することが可能である。例えば、データＤＡＴＡ１−ＤＡＴＡ３が含むような、こうした事項の幾つかの例は、例えば、テキスト、表、及び／又は画像、パターン等である。
【００２７】
ステップ（ｉｖ）において、データＤＡＴＡ１−ＤＡＴＡ３のために、少なくとも１つのターゲット５０が定められる。データＤＡＴＡ１−ＤＡＴＡ３において認識されたコンテンツＣＯＮＴ１−ＣＯＮＴ４に基づいて、定義が行われる。このため、機器１０において、例えば、（パターン認識）知識ベースＰＡＴのような対応する知識が適合される。
【００２８】
定義において、例えば、それが、描画、又はテキスト形式のデータ／数値データなのかを、データＤＡＴＡ１−ＤＡＴＡ３から認識することが可能である。これに基づいて、コンテンツＣＯＮＴ１のために最も適したアプリケーション・ソフトウェアは、例えば、表計算アプリケーション５１とすることができる。さらに、描画が、例えば、グラフィック記述子又は図表として認識可能であるかどうかを定めることも可能である。同時に、テキスト形式のデータ／数値データから、表計算データに特有の特徴を認識することもできる。そのような例は、テキスト／数値の間に配置された垂直方向及び／又は水平方向のライン要素８０であり、これにより、ンテンツＣＯＮＴ１が表計算方式であることがさらに明らかになる。
【００２９】
コンテンツＣＯＮＴ２がテキスト情報及び／又は数値情報だけである場合には、確立されたアプリケーション・ソフトウェアは、例えば、テキスト処理ソフトウェア５０又は対応するｏｆｆｉｃｅアプリケーションとすることができる。例えば、テキスト形式の文書を認識するために、文書で一般に行われる編集を適用することも、可能性な更なる価値として可能である。そのような幾つかの例として、適正な本文から見出しを目立たせること（太字のテキスト及び他の編集）、カプセル化、キャプション、又はパラグラフ分割を挙げることができる。これらにより、本発明による方法で最も適したアプリケーション・ソフトウェア５０−５３を提案する／確立するための認識に必要とされる更なる信頼性が与えられる。
【００３０】
ステップ（ｖ）において、例えば、上で実行された結論のステップに基づいて、データＤＡＴＡ１−ＤＡＴＡ３に変換されたコンテンツＣＯＮＴ１−ＣＯＮＴ４を、少なくとも１つのターゲット・アプリケーション５０又は既存の文書に埋め込むことが可能である。次いで、本発明によるプロセスの基本形態が完了する。
【００３１】
図２は、本発明による方法の第１の基本的な適用例を示すフローチャートである。図２に示される実施形態においては、特に、コンテンツの選択を行う可能なステップに焦点が置かれる。間に本方法の可能な余分のサブステップが配置される、本方法を構成する基本的なサブステップ（ｉ−ｖ）に関して、これを不必要にさらに参照することなく、図１を参照する。
【００３２】
１つの実施形態によると、情報ＩＮＦＯをキャプチャする前でさえ、少なくとも１つ又はそれ以上のターゲット５０−５３、７０−７３に導くことを目的としたコンテンツＣＯＮＴ１−ＣＯＮＴ４の選択を行うことができる。このため、機器１０は、例えば、ソフトウェア・モジュール３１として実装され、コンテンツＣＯＮＴ３を選択するように構成されたコード手段３１．６を含む機能を含む。
【００３３】
ステップ２０１において、ユーザは、カメラＣＡＭを要求する情報ＩＮＦＯに向ける。この照準の結果として、情報ＩＮＦＯは、機器１０のディスプレイＤＩＳＰ上に周知の方法で視覚化され、今やディスプレイはビューファインダとして機能する（ステップ２０２）。
【００３４】
ステップ２０３において、ユーザは、機器１０のディスプレイＤＩＳＰを用いて、カメラＣＡＭによって検知されるコンテンツＣＯＮＴ１−ＣＯＮＴ４に対して、さらに幾つかの異なる方法でマスキング動作を行う。このように、とりわけ、実際に画像化の記録を行う前でさえも、ユーザが、電子データＤＡＴＡ１−ＤＡＴＡ３に変換することを望むコンテンツＣＯＮＴ１−ＣＯＮＴ４を選択できるという利点が達成される。例えば、ユーザが、場合によっては、印刷物Ｐ又は他の何らかのソースにおいて提示された全ての提示されたコンテンツを、選択されたターゲット５０−５３、７０−７３のための電子データＤＡＴＡに変換したいと望まないこともあるので、このことは重要である。したがって、実際の画像化の前に、ビューファインダを用いて行われるコンテンツのマスキングは、情報ＩＮＦＯを電子的形態に変換するための機器１０の操作を容易にする。
【００３５】
コンテンツＣＯＮＴ１−ＣＯＮＴ４をマスキングし、選択する第１の驚くべき方法は、カメラＣＡＭを用いてコンテンツをズームすることである。別の手法は、機器１０のディスプレイ部分ＤＩＳＰ上でコンテンツＣＯＮＴ１−ＣＯＮＴ４の選択を行うことである。ユーザは、そこで、例えば、所望のコンテンツＣＯＮＴ１−ＣＯＮＴ４をマスキングすることができ、そのコンテンツは、１つ又はそれ以上のターゲット５０−５３、７０−７３のための電子データＤＡＴＡ１−ＤＡＴＡ３にさらに変換される。マスキングの際に、例えば、従来の直角のマスキング又は投げ縄のような幾つかの周知の方法を用いることができる。ここで、機器１０のキーパッドを用いてマスキングを行うことができ、そのために、ディスプレイＤＩＳＰ上でコンテンツＣＯＮＴ１−ＣＯＮＴ４を選択するグラフィック要素を制御するために、キーパッドが用いられる。
【００３６】
一般に、マスキング・プロセスは、例えば、非関連情報も表示されている媒体から画像化が行われるときに著しい利点をもたらす。このマスキング特徴のために、所望の情報だけに画像化プロセスを施すことが可能であり、この関連情報の近辺にある可能性がある非関連情報を除外することができる。
【００３７】
マスキングを行うとき、ステップ（ｉ）において、カメラ機器ＣＡＭを使用し、このマスキングされたコンテンツＣＯＮＴ３だけをキャプチャし、処理することが可能である。このことは、例えば、所望のコンテンツＣＯＮＴ３が１つの包括的領域のみを構成する場合に可能である。
【００３８】
代替的に、又は実際に画像化を格納する前に行われることになるステップ２０１−２０３の他にも、図１に示されるアプリケーションの場合に行われたように、カメラＣＡＭによって検知された全体のビューをキャプチャすることも可能である。次いで、電子的形態に変換され、格納された、キャプチャされたＤＡＴＡからのみ、コンテンツＣＯＮＴ１−ＣＯＮＴ４のマスキング／選択を行うことができる。この実施形態は、所望のコンテンツＣＯＮＴ１−ＣＯＮＴ４が、カメラＣＡＭによって検知され、キャプチャされたビューにおいて幾つかの領域を形成する場合に、特にあり得る。領域は、例えば、互いに離れていてもよい。ここで、例えば、ビューファインダの画像化を行うときの、機器１０の不安定性のために、ビューファインダを用いて領域を選択するのは困難である。
【００３９】
この第２の実施形態によると、カメラ手段ＣＡＭによってキャプチャされ、機器１０によって格納された電子データＤＡＴＡ１−ＤＡＴＡ３からのみ、上記に加えて又は代替的に、ターゲット５０−５３、７０−７３のためのコンテンツＣＯＮＴ１−ＣＯＮＴ３を選択することができる。このため、機器１０内に配置することができるソフトウェア製品３０のプログラム・コード３１は、キャプチャされた電子データＤＡＴＡ１−ＤＡＴＡ３から選択されることになるコンテンツＣＯＮＴ１−ＣＯＮＴ３を定めるように構成されたコード手段３１．５を含む。
【００４０】
ステップ２０４において、キャプチャされたコンテンツＣＯＮＴ１−ＣＯＮＴ３が、機器１０のディスプレイＤＩＳＰ上に提示される。ディスプレイから、ユーザは、所望する１つ又はそれ以上のコンテンツＣＯＮＴ１−ＣＯＮＴ３の選択を行うことができる（ステップ２０５）。ここで、機器１０の潜在的な不安定性さえも、もはやコンテンツＣＯＮＴ１−ＣＯＮＴ３を選択するステップに影響を与えず、機器１０を情報ＩＮＦＯのソースＰに向ける必要もなくなる。
【００４１】
既に上記に示したように、ステップ（ｉｉｉ−ｖ）は、これから更に進むことができる。これらの後に、選択された／確立された１つ又はそれ以上のターゲット５０−５３、７０−７３内のコンテンツＣＯＮＴ１−ＣＯＮＴ３に関して取られるべき可能なアクションのステップ２０６が続く。
【００４２】
図３は、本発明による方法の別の基本的な適用例を示すフローチャートである。具体化するために、ここでのターゲットは、幾つかの可能なものもあり得るアプリケーション・ソフトウェア５０−５３とすることができる。他方、ターゲットは、アプリケーション・ソフトウェア５０−５３に加えて、幾つかの可能なものもあり得る定型化要素７０−７３とすることもできる。本発明を定型化要素７０−７３だけに適用することも、勿論可能である。ここで、例えば、ユーザによって、アプリケーション・ソフトウェア５０−５３を選択することができる。
【００４３】
ステップ（ｉ−ｉｉｉ）は、例えば、概して図１又は図２に提示されたものに対応する方法で行うことができる。ステップ３０１において、認識されたコンテンツＣＯＮＴ１−ＣＯＮＴ４を用いて、コンテンツＣＯＮＴ１−ＣＯＮＴ４が、１つの、又は場合によってはさらに幾つかのアプリケーション・ソフトウェア５０−５３に埋め込むのに適しているかどうかを判断する。ステップ３０２において、コンテンツＣＯＮＴ１−ＣＯＮＴ４が、１つのアプリケーション・ソフトウェア又は既存の文書のみ適していることが見出された場合には、アクションは、直接ステップ３０４に進むことができる。ステップ３０２において、幾つかの可能なアプリケーション・ソフトウェア５０−５３又は既存の文書が存在することが見出された場合には、アクションは、ステップ３０３に進む。
【００４４】
コンテンツＣＯＮＴ１−ＣＯＮＴ４に適した幾つかのアプリケーション・ソフトウェア５０−５３があり得る多くの場合がある。そのような第１の例は、表形式の数値コンテンツＣＯＮＴ１である。そのデフォルト・アプリケーションは、例えば、表計算ソフトウェア５１とすることができる。他方、テキスト処理ソフトウェア５０は、コンテンツＣＯＮＴ１を表計算形式で処理するためのリソースを有することもできる。別の例は、画像情報ＣＯＮＴ３、ＣＯＮＴ４である。これに適したアプリケーションは、例えば、画像処理ソフトウェア５３、プレゼンテーション・グラフィックス・ソフトウェア５２、又は更なるテキスト処理ソフトウェア５０とすることができる。ここで、最適なアプリケーション５０−５３を選択する問題は、エンドユーザの観点からは非常に困難であるが、本発明は、この問題に驚くべき解決法を与える。
【００４５】
第１の実施形態によると、ステップ３０３において、データＤＡＴＡ１−ＤＡＴＡ３から認識されたコンテンツＣＯＮＴ１−ＣＯＮＴ４に基づいて、アプリケーション・ソフトウェア５０−５３を提案することが可能である。このため、例えば、データＤＡＴＡ１−ＤＡＴＡ３から認識されたコンテンツＣＯＮＴ１−ＣＯＮＴ４に基づいて、少なくとも１つのアプリケーション・ソフトウェア５０−５３を提案するように構成されたコード手段３１．３を含む、ソフトウェア・モジュール３１として実装される機能を、機器１０に装備することができる。
【００４６】
実施形態においては、機器１０によって推奨される、こうした可能なアプリケーション・ソフトウェアの代替物を、機器１０のディスプレイＤＩＳＰ上でエンドユーザに提示することができる。認識されたコンテンツＣＯＮＴ１−ＣＯＮＴ４の各々について、例えば、知識ベースＰＡＴの認識能力によって、幾つかのアプリケーション５０−５３を提示することも可能である。コンテンツＣＯＮＴ１−ＣＯＮＴ４の各々に対して、エンドユーザは、可能な代替物からアプリケーション・ソフトウェア５０−５３の選択を行うことができる。他方、エンドユーザは、機器１０が、当該コンテンツＣＯＮＴ１−ＣＯＮＴ４に関して提案さえもしないようなアプリケーション・ソフトウェアを選択することもできる。したがって、このステップの実施には、多数の代替物も存在する。
【００４７】
別の実施形態によると、データＤＡＴＡ１−ＤＡＴＡ３から認識されたコンテンツＣＯＮＴ１−ＣＯＮＴ４に基づいて、機器１０において、ターゲット・アプリケーション５０−５３を自動的に選択することができる。これを行うために、プログラム・コード３１が、データＤＡＴＡ１−ＤＡＴＡ３から認識されたコンテンツＣＯＮＴ１−ＣＯＮＴ４に基づいてターゲット・アプリケーション５０−５３を選択するように構成されたコード手段３１．４を含むソフトウェア製品３０を、機器１０に提供することができる。
【００４８】
ステップ３０３において実行されるアプリケーション・ソフトウェア５０−５３を選択した後、機器１０によるアプリケーション・ソフトウェア５０−５３の提案又は独立した設定のいずれかに続いて、アクションは、アプリケーション実施形態のステップ３０４に進むことができる。
【００４９】
少なくとも幾つかのアプリケーション５０−５３は、アプリケーション・ソフトウェアからの周知の定型化要素７０−７３を含むことができる。この場合、これらは、例えば、データＤＡＴＡ１−ＤＡＴＡ３を埋め込むことができる異なる特定用途向けテンプレート又は既存の文書として理解することができる。そのような決して排他的ではない幾つかの例は、ユーザによって予め形成された種々の文書、文書テンプレート、スプレッドシートのためのプレゼンテーション方法、プレゼンテーション／透過性ベース、静的であっても、動画であってもよいグラフィック効果、スタイル、編集等である。
【００５０】
データＤＡＴＡ１−ＤＡＴＡ３から認識されたコンテンツＣＯＮＴ１−ＣＯＮＴ４、又は選択された／確立されたアプリケーション・ソフトウェア５０−５３に基づいて、ステップ３０４においてそれらが見出される場合には、データＤＡＴＡ１−ＤＡＴＡ３のための少なくとも１つの定型化要素７０−７３を定めることが可能である。このため、機器１０は、例えば、プログラム・コード３１が、データＤＡＴＡ１−ＤＡＴＡ３から認識されたコンテンツＣＯＮＴ１−ＣＯＮＴ４に基づいて、データＤＡＴＡ１−ＤＡＴＡ３のための少なくとも１つのそうした定型化要素７０−７３を定めるように構成されたコード手段３１．２−３１．４を含む、ソフトウェア製品３０として実装された機能を有する。
【００５１】
定型化要素７０−７３が、確立されたアプリケーション・ソフトウェア５０にも、又はこれと結合されたコンテンツＣＯＮＴ１にも関連しない場合には、アクションは、ステップ３０６に進むことができる。ステップ３０３から、対応する転送を直接行うこともできる。関連する定型化要素７０−７３がある場合には、次に、アクションは、ステップ３０５に進むことができる。このステップにおいて、定型化要素７０−７３に関連する可能なアクションが行われる。アプリケーション・ソフトウェアの選択／確立のステップ３０３によると、ステップ３０５において、コンテンツＣＯＮＴ１−ＣＯＮＴ４に適した定型化要素７０−７３をエンドユーザに提案することもでき、次に、エンドユーザは、各々のコンテンツＣＯＮＴ１−ＣＯＮＴ４及び／又はアプリケーション・ソフトウェア５０−５３と共に用いるための所望の定型化要素７０−７３を選択する。他方、定型化要素７０−７３の場合も、機器１０は、それぞれの知識ベースＰＡＴに従った定型化要素７０−７３に関する選択を行うことができる。
【００５２】
ステップ３０６において、選択された定型化テンプレート７０−７３と共に、各々のコンテンツＣＯＮＴ１−ＣＯＮＴ４を、確立されたアプリケーション・ソフトウェア５０−５３に埋め込むことができる。ステップ３０７において、アプリケーション・ソフトウェア５０−５３におけるアクションを実行することが可能であるが、本発明に関する限りそれ以上詳細に説明する必要はない。アクションは、少なくとも、選択されたファイル形式内にコンテンツを格納することを含むことができる。本発明に従った手順は、ステップ３０８において完了する。
【００５３】
図４は、本発明による電子機器１０の基本的な適用例の大まかな概略図である。機器１０は、コンテンツＣＯＮＴ１−ＣＯＮＴ３を含む情報ＩＮＦＯをキャプチャするためのカメラ手段ＣＡＭを含む。キャプチャされた情報ＩＮＦＯは、プロセッサ手段ＣＰＵによってデジタル形式に処理される。これらに加えて、機器１０には、センサＣＡＭによって形成された画像データＤＡＴＡを所望の手法で処理する周知の種類の画像キャプチャ・ソフトウェアＩＣＳ（画像化チェーン）を設けることもできる。画像キャプチャ・ソフトウェアＩＣＳにおいて、情報ＩＮＦＯのデジタル化が既に行われることもある。
【００５４】
さらに、機器１０は、情報ＩＮＦＯに対して１つ又はそれ以上のターゲット５０−５３、７０−７３を適合させ得るメモリＭＥＭも含む。メモリＭＥＭは、例えば、ＥＥＰＲＯＭメモリ又はメモリカードのような周知のソリッド・ステート・メモリとすることができる。勿論、可動部品を含むメモリ手段（ＣＤ、ハードディスク）を適用することも可能である。機器はまた、キャプチャされた情報ＩＮＦＯを電子データＤＡＴＡ１−ＤＡＴＡ３に変換し、かつ、所望の使用のために、それを少なくとも１つのターゲット５０、７０に埋め込むためのプロセッサ手段ＣＰＵを含む。プロセッサ手段は、カメラ手段ＣＡＭに接続された画像キャプチャ・ソフトウェアＩＣＳとして理解することもできる。画像キャプチャ・ソフトウェアＩＣＳは、プロセッサ手段ＣＰＵ、ＲＥＣ、３１．１に対して、カメラ手段ＣＡＭによって形成されたデータＤＡＴＡを提供する。
【００５５】
機器１０のプロセッサ手段ＣＰＵ、ＲＥＣは、電子データＤＡＴＡ１−ＤＡＴＡ３から、情報ＩＮＦＯに属するコンテンツＣＯＮＴ１−ＣＯＮＴ４を認識するように適合される。これに基づいて、機器１０は、データＤＡＴＡ１−ＤＡＴＡ３について、少なくとも１つのターゲット５０、７０を定めるように適合される。
【００５６】
コンテンツＣＯＮＴ１−ＣＯＮＴ４の認識のために、機器１０は、パターン知識データ、又は対応する機能ＰＡＴを含む。画像認識機能ＲＥＣが実行されるプロセッサ・ユニットＣＰＵによる使用のためにこの知識データＰＡＴを提供することによって、カメラ手段ＣＡＭがキャプチャしたコンテンツＣＯＮＴ１−ＣＯＮＴ４の各々のタイプと、同じくコンテンツＣＯＮＴ１−ＣＯＮＴ４の各々に最も適した少なくとも１つのターゲット５０−５３、７０−７３とを見出すことが可能になる。パターン知識データＰＡＴにおいては、あらゆるタイプのコンテンツが、少なくとも１つのターゲットに結合される。方法が機器１０において適用されるときに更新される学習システムとなるように、１つの実施形態に従って、パターン知識データＰＡＴを配置することができる。この特徴の結果として、機器１０は、エンドユーザの最も好むテンプレートを学習し、テンプレートの提案又は選択を、一層使いやすいように行うことができる。
【００５７】
どのタイプのコンテンツＣＯＮＴ１−ＣＯＮＴ４が、画像認識機能ＲＥＣ  ３１．１内にあるものとして認識されるかによって、画像認識機能ＲＥＣから、認識されたＤＡＴＡ１−ＤＡＴＡ３を、テキスト認識機能ＴＥ、３１．２、又は画像／パターン認識ＩＭＰＡＲＥＣ、３１．２のいずれかに向けることができる。
【００５８】
さらに、テキスト認識機能ＴＥ、３１．２及び画像／パターン認識ＩＭＰＡＲＥＣ、３１．２は、アプリケーション・ソフトウェア５０−５３を提案する及び／又は選択（３１．３、３１．４）することができ、又は適切なアプリケーション・アダプタＡＰＰＡＤ、３１．３、３１．４に、コンテンツＣＯＮＴ１−ＣＯＮＴ４についてのより正確な情報を提供することができる。他方、このことも、アプリケーション・ソフトウェア５０−５３及び／又は定型化要素７０−７３の選択に伴うか、又はこれに関係することがある。
【００５９】
機器１０に同じく与えられたメタデータＭＥＴＡは、パターンについての情報、及びそれが特定のモバイル用ｏｆｆｉｃｅアプリケーション５０−５３にどのようにマッピングされるかについての情報を含む。これらのパターンの幾つかの例は、例えば、プレゼンテーション文書内に配置することができる、特別なグラフィック効果又は要素である。モバイル用ｏｆｆｉｃｅアプリケーション・アダプタＡＰＰＡＤを通じて通信し、呼び出すために、メタデータＭＥＴＡ情報が用いられる。メタデータＭＥＴＡは、コンテンツを、全ての異なるモバイル用ｏｆｆｉｃｅアプリケーション５０−５３にマッピングする情報の格納部である。パターン認識ＩＭＰＡＲＥＣは、例えば、一般に、画像からのパターンの識別を担当する。しかしながら、パターン認識ＩＭＰＡＲＥＣは、必ずしも、パターンがどのように特定のｏｆｆｉｃｅ文書パターン又はテンプレートに挿入されるべきかについての知識を有するとは限らない。メタデータＭＥＴＡは、このより特定用途向けの情報に鑑みると、一般に、コンテンツＣＯＮＴ１−ＣＯＮＴ４及びパターンのマッピング戦略を有する。
【００６０】
アプリケーション・アダプタＡＰＰＡＤ、３１．３、３１．４は、コンテンツＣＯＮＴ１−ＣＯＮＴ４に対応するデータＤＡＴＡ１−ＤＡＴＡ３を、確立されたアプリケーション・ソフトウェア５０−５３に向け、選択される可能性が高い定型化テンプレート７０−７３についての情報も与える。アプリケーション・ソフトウェア５０−５３において、コンテンツＣＯＮＴ１−ＣＯＮＴ４が開かれ、そこで、実際のアプリケーション・ソフトウェア５０−５３によって生成される任意のコンテンツと同様に、ユーザによって編集し、格納することができる。
【００６１】
一般に、アプリケーション・アダプタＡＰＰＡＤは、１組の汎用インターフェースとすることかできる。これらのインターフェースは、例えば、ｏｆｆｉｃｅ文書を生成し（定められた／選択されたアプリケーション・ソフトウェア５０−５３において）、識別されたｏｆｆｉｃｅオブジェクト（すなわち、コンテンツ）を文書に、より具体的にはｏｆｆｉｃｅ文書の特定の部分に挿入するために用いることができる。
【００６２】
より詳細には、アプリケーション・アダプタＡＰＰＡＤの役割の幾つかの例は、例えば、ｅｘｃｅｌシート５１を生成すること、オブジェクト、ＣＯＮＴ１、ＣＯＮＴ２、８０、８１．１、８１．３を、セクション番号の某位置において、シートに挿入することとすることができる。別の実施形態として、アプリケーション・アダプタＡＰＰＡＤは、特定のｏｆｆｉｃｅアプリケーション５０−５３（シート／ワーク／等）を独自に起動するのを助けることができる。この特徴のために、本発明による解決法は、独自の解決法に依存しておらず、こうしたデータを異なるアプリケーションに埋め込むことを可能にする。
【００６３】
典型的なインターフェースの幾つかの例は、データ（プロパティ、識別されたオブジェクト）を（付加／更新／挿入／生成）することができる。プロパティは、文書内にオブジェクトを生成する位置などの詳細を有することができ、その位置は、例えば、Ｗｏｒｄ５０の場合に、セクション番号／ヘッダ／フッタなどの詳細を有することができる。これに対応して、表計算アプリケーション・ソフトウェア５１の場合、プロパティは、例えば、一般に、ワークシート番号及びセル座標のような表計算プロパティに関連する何らかの特定の詳細とすることができる。
【００６４】
アプリケーション・アダプタＡＰＰＡＤは、実際に、既存の独自の解決法の周りにラッパー状に形成し、本発明のシステムの残りにブリッジ機能を提供する（他の独自の解決法に緩く結合する）を提供することができる。
【００６５】
プログラム・コード３１を形成する少なくとも幾つかのコード手段３１．１−３１．６は、アプリケーション５０−５３又はアプリケーション・スイート６０と共に統合することができる。他方、プログラム・コード３１は、アプリケーション５０−５３又はアプリケーション・スイート６０とは本質的に別個のエンティティを構成することもできる。このため、ソフトウェア・インターフェース（ＡＰＩ）を通じて、これらの間でデータ伝送を行うことができる。
【００６６】
図６は、コンテンツＣＯＮＴ４、ＣＯＮＴ１、ＣＯＮＴ２を電子的形態に変換するための２つのアプリケーションを示す。図６の上部に示されるアプリケーションにおいて、本Ｐにおける視覚化された図が、ＰｏｗｅｒＰｏｉｎｔ形式に変換される。ここでは、定型化テンプレート７０も、コンテンツＣＯＮＴ４に付加される。
【００６７】
図６の下部に位置するアプリケーションにおいては、表形式のコンテンツＣＯＮＴ１が本Ｂから読み取られる。表計算ソフトウェア５１が、ターゲット・アプリケーションとして選択される。表コンテンツＣＯＮＴ１から、ここで行われるような式８１．１を認識することが可能である。２つの列の一番下のラインから、本発明によるプログラム・コードは、表計算アプリケーション５１が当該列に関する合計用語として理解する（ＳＵＭ）用語８１．１を検知する。対応する合計８１．２が、表計算の図において計算される。また、表計算アプリケーション５１において、テキスト形式のコンテンツＣＯＮＴ１が、見出し位置、すなわち、この場合は表ＣＯＮＴ１の上に転送される。
【００６８】
上記の実施形態において、状況は、主として、生成前に文書が全く存在しないというものである。新しい文書は、ゼロから生成される。
【００６９】
本発明はまた、認識されたパターンが、ターゲット文書オブジェクトに変換され、例えばｏｆｆｉｃｅ文書とすることができる既存の文書内に埋め込まれる場合にも適用することができる。文書オブジェクト及びｏｆｆｉｃｅ文書は、全く異なるタイプの文書とすることができる。そのような場合に埋め込みを適切に行うために、機器１０は、例えば、プログラム・コード３１．７又は対応する機能として実装される埋め込み装置モジュール３１．７も含む。埋め込み装置を用いて、例えば、表計算オブジェクトを、例えば、既に存在するプレゼンテーション文書に埋め込むことができる。埋め込み装置の機能は、このスプレッドシートの正しい位置及び形式を識別し、例えば、これらの位置及び形式の特徴に関するプレゼンテーション文書に対する適切な呼び出しを行うことである。
【００７０】
この実施形態の埋め込み装置モジュール３１．７は、ｏｆｆｉｃｅ文書ハンドラ・モジュールを適用し、かつ、分析され認識された文書形式を埋め込むことができる。システムに基づいたこの埋め込み装置の実施形態は、例えば、上述されたシステムの上部に構築することができる。ｏｆｆｉｃｅ文書分析装置は、上述の実施形態の役割を処理し、例えば、テキスト認識ＴＥ、画像パターン認識ＩＭＰＡＲＥＣ、画像認識装置ＲＥＣ、メタデータＭＥＴＡといった上記の実施形態の要素／システム・コンポーネントに基づくものにすることもできる。ｏｆｆｉｃｅ文書ハンドラは、モバイル用ｏｆｆｉｃｅアプリケーション・アダプタＡＰＰＡＤの一部を利用することもできる。この実施形態の主な機能は、既存のｏｆｆｉｃｅ文書の認識された部分を、１つ又は幾つかのターゲットｏｆｆｉｃｅ文書内に埋め込むことである。
【００７１】
埋め込み装置３１．７によるアプリケーション・アダプタＡＰＰＡＤの利用アクションの幾つかの例は、認識されたオブジェクトを既存の文書に挿入することである。埋め込み装置は、付加的に、プレゼンテーションの調整といった付加的な機能を有し、既存の文書において既存のオブジェクトのＵＩを制御し、これに応じてそれらを再調整することができる。埋め込み装置３１．７は、アダプタＡＰＰＡＤの全ての機能を利用することができる。アプリケーション・アダプタＡＰＰＡＤを使用する１つの詳細な例は、文書オブジェクトを別の文書に挿入する場所を識別することである。埋め込み装置はまた、既存のオブジェクトを処理する方法、及び／又は既存の文書部分を再調整する方法についての情報を含むことができる。
【００７２】
本発明による機能を用いて処理することができる１つの役割は、例えば、図６の上部の実施形態において、異なるデータ・タイプ、及び、例えば、プレゼンテーション・ソフトウェア５２と共に有することができる可能なプロパティを認識することである。例えば、テキスト・オブジェクト、及び矩形８１．３、矢印オブジェクト８１．３等のようなグラフィック・オブジェクトがあり得る。機能は、オブジェクトを互いに異なるようにし、この分離のために、オブジェクトに、例えば、定型化、又はプレゼンテーション・シート上でのオブジェクト移動といった、異なる種類の動作を施すことができる。
【００７３】
本発明は、電子機器１０と共に用いるだけでなく、本発明による方法と共に用いるように適合することができるカメラ要素ＣＡＭにも関する。
【００７４】
電子情報を形成するために、本発明による方法及び電子機器１０を用いることができる。この場合、電子情報は、非常に広い概念として理解することができる。電子情報は、例えば、周知の個々のアプリケーション・ソフトウェア５０−５３を用いて検査することができるコンテンツＣＯＮＴ１−ＣＯＮＴ４とすることができる。他方、アプリケーション・ソフトウェア５０−５３は、種々のアプリケーション・スイート６０を形成することもでき、その目的は、幾つかのタイプのコンテンツＣＯＮＴ１−ＣＯＮＴ４を処理する可能性を提供するということである。この結果、それぞれの特定のタイプのコンテンツを処理する際に、個々のアプリケーション５０−５３の各々を特化することができる。コンテンツＣＯＮＴ１−ＣＯＮＴ４を最も適したアプリケーション・ソフトウェア５０−５３に埋め込むことは、電子機器１０における実際の使い勝手の問題であるので、例えば、アプリケーション・スイート６０と共に、本発明を用いて特別な利点が実際に達成される。
【００７５】
上述のアプリケーション及びアプリケーション・スイートの一例として、構造化された文書を処理するように特化された専門アプリケーション５０−５３を含むＭＳ  Ｏｆｆｉｃｅスイート６０を挙げることができる。これらは、例えば、テキスト処理５０（Ｗｏｒｄ）、表計算５１（Ｅｘｃｅｌ）、プレゼンテーション・グラフィックス５２（ＰｏｗｅｒＰｏｉｎｔ）等のためのものである。コンテンツ・タイプの決して限定するものではない更に別の例は、ＨＴＭＬコンテンツ、画像データ、音符の集まり等である。この多数のコンテンツ・タイプから分かるように、可能性の数は非常に大きい。
【００７６】
図５は、本発明によるソフトウェア製品３０の適用例を示す大まかな概略図である。ソフトウェア製品３０は、格納手段ＭＥＭと、機器１０のプロセッサ・ユニットＣＰＵによって実行することができ、かつ、本発明の方法に従って、コンテンツＣＯＮＴ１−ＣＯＮＴ４を含む情報を電子的形態に変換するために、格納手段ＭＥＭ上に書き込まれるプログラム・コード３１とを含むことができる。プログラム・コード３１のための格納手段ＭＥＭは、例えば、携帯用機器と共に利用可能なメモリカード、ＰＣ環境内で利用可能なＣＤ媒体、又は同様に直接統合することができる機器１０の静的又は動的アプリケーション・メモリとすることができる。
【００７７】
プログラム・コード３１は、プロセッサ手段ＣＰＵ、ＲＥＣによって実行可能な幾つかのコード手段３１．１−３１．６を含むことができ、コード手段のアクションを、上記に提示された方法の説明に適合させることができる。コード手段３１．１−３１．６は、本発明による機器１０において、本発明に所望される機能をもたらすのに用いられる、次々と実行可能な１組のプロセッサ・コマンドを形成することができる。
【００７８】
本発明によるプログラム・コード３１は、入力として光学的にキャプチャされた情報ＩＮＦＯを受信し、それを少なくとも１つのターゲット５０−５３、７０−７３のための電子データＤＡＴＡ１−ＤＡＴＡ３に変換し、データＤＡＴＡ１−ＤＡＴＡ３を少なくとも１つのターゲット５０、７０内に埋め込むように適合される。
【００７９】
本発明によるソフトウェア製品３０において、ここでは、電子データＤＡＴＡ１−ＤＡＴＡ３から、情報ＩＮＦＯに属するようなコンテンツＣＯＮＴ１−ＣＯＮＴ４を認識するように構成された第１のコード手段３１．１が存在し得る。
【００８０】
さらに、プログラム・コード３１は、別のコード手段３１．２を含むこともできる。これは、データＤＡＴＡ１−ＤＡＴＡ３のために、少なくとも１つのターゲット５０、７０を定めるように構成することができる。
【００８１】
プログラム・コード３１は、主として、データＤＡＴＡの形成に併せて同時に実行されるように適合させることができる。本発明の文脈において、形成は、非常に広い概念として理解することができる。形成は、例えば、デジタル画像化とすることができる。
【００８２】
プログラム・コード３１は、独立したアプリケーションとして確立された方法で実施することができ、又は、例えば上述されたアプリケーション・ソフトウェア５０−５３又はアプリケーション・スイート６０のような他のアプリケーションと統合又は結合させることができるモジュールを形成することもできることが、当業者には明らかである。本発明による機能、又は、例えばパターン知識ＰＡＴといった少なくともその一部は、例えば、ネットワーク全体にわたって分散させることができ、例えば、必要に応じて、そこから機器１０にロードされる。
【００８３】
上記の明細書、及びこれに関連する図面は、本発明を説明することが意図されるだけであることを理解すべきである。したがって、本発明は、上記に提示される実施形態又は特許請求の範囲に定められるものだけに限定されるものではなく、当業者には、添付の特許請求の範囲に定められる本発明の考えの範囲内で可能な、本発明のこうした多くの種々の変形及び修正が明らかであろう。
【図面の簡単な説明】
【００８４】
【図１】本発明による方法の基本的な例の大まかなフローチャートである。
【図２】本発明による方法の第１の基本的な適用例のフローチャートである。
【図３】本発明による方法の別の基本的な適用例のフローチャートである。
【図４】本方法に適用されたような、本発明による電子装置の第１の基本的な適用例の大まか概略図である。
【図５】電子機器において情報を電子的形態に変換するための、本発明によるソフトウェア製品の適用例を示す。
【図６】電子的形態に変換される情報の幾つかの適用例を示す。
【図１】
2008519345.tif 000003
【図２】
2008519345.tif 000004
【図３】
2008519345.tif 000005
【図４】
2008519345.tif 000006
【図５】
2008519345.tif 000007
【図６】
2008519345.tif 000008
【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
情報（ＩＮＦＯ）にデジタル画像化を施し、
前記画像化された情報（ＩＮＦＯ）の少なくとも一部が、少なくとも１つのアプリケーション・ソフトウェア（５０−５３）である少なくとも１つのターゲット内に埋め込まれた、
コンテンツ（ＣＯＮＴ１−ＣＯＮＴ３）を含む情報（ＩＮＦＯ）を処理する方法であって、
前記デジタル画像化された情報（ＩＮＦＯ）に属する前記コンテンツ（ＣＯＮＴ１−ＣＯＮＴ３）の少なくとも一部を認識し、それに基づいて、
前記認識されたコンテンツ（ＣＯＮＴ１−ＣＯＮＴ３）のために、少なくとも１つのアプリケーション・ソフトウェア（５０−５３）が定められる、
ことを特徴とする方法。
【請求項２】
少なくとも幾つかのアプリケーション・ソフトウェア（５０−５３）は、同じアプリケーション・スイート（６０）に属することを特徴とする請求項１に記載の方法。
【請求項３】
少なくとも幾つかのアプリケーション・ソフトウェア（５０−５３）は、情報を埋め込むことができる、例えばテンプレートのような定型化要素（７０−７３）を含み、前記アプリケーション・ソフトウェア（５０−５３）に加えて、前記ターゲットは、少なくとも１つの定型化要素（７０−７３）であることを特徴とする請求項１又は請求項２に記載の方法。
【請求項４】
ターゲット（５０−５３、７０−７３）は、前記情報（ＩＮＦＯ）から認識された前記コンテンツ（ＣＯＮＴ１−ＣＯＮＴ３）に基づいて提案される（ステップ３０３）ことを特徴とする請求項１乃至請求項３のいずれか１項に記載の方法。
【請求項５】
ターゲット（５０−５３、７０−７３）は、前記情報（ＩＮＦＯ）から認識された前記コンテンツ（ＣＯＮＴ１−ＣＯＮＴ３）に基づいて確立される（ステップ３０３）ことを特徴とする請求項１乃至請求項３のいずれか１項に記載の方法。
【請求項６】
前記情報（ＩＮＦＯ）を画像化する前に、前記コンテンツ（ＣＯＮＴ１−ＣＯＮＴ３）に選択アクションが行われる（ステップ２０３）ことを特徴とする請求項１乃至請求項５のいずれか１項に記載の方法。
【請求項７】
前記コンテンツ（ＣＯＮＴ１−ＣＯＮＴ３）の選択は、前記画像化された情報（ＩＮＦＯ）から行われる（ステップ２０５）ことを特徴とする請求項１乃至請求項６のいずれか１項に記載の方法。
【請求項８】
パターン認識知識（ＰＡＴ、ＭＥＴＡ）は、前記情報（ＩＮＦＯ）からの前記コンテンツ（ＣＯＮＴ１−ＣＯＮＴ３）の認識において、及び／又は、該コンテンツ（ＣＯＮＴ１−ＣＯＮＴ３）のための前記ターゲット（５０−５３、７０−７３）の定義において適用され、及び／又は、該コンテンツ（ＣＯＮＴ１−ＣＯＮＴ３）を該ターゲット（５０−５３、７０−７３）にマッピングすることを特徴とする請求項１乃至請求項７のいずれか１項に記載の方法。
【請求項９】
コンテンツ（ＣＯＮＴ１−ＣＯＮＴ３）を含む情報（ＩＮＦＯ）を画像化するための第１の手段（ＣＡＭ）と、
前記情報（ＩＮＦＯ）のために、確立された形式のコンテンツ（ＣＯＮＴ１−ＣＯＮＴ３）を処理するように適合された少なくとも１つのアプリケーション・ソフトウェア（５０−５３）である、１つ又はそれ以上のターゲット（５０−５３、７０−７３）が配置されたメモリ（ＭＥＭ）と、
所望の用途のために、前記画像化された情報（ＩＮＦＯ）の少なくとも一部を少なくとも１つのアプリケーション・ソフトウェア（５０）内に埋め込むための第２の手段（ＣＰＵ）と、
を含む電子機器（１０）であって、
前記デジタル画像化された情報（ＩＮＦＯ）に属する前記コンテンツ（ＣＯＮＴ１−ＣＯＮＴ３）の少なくとも一部が、前記第２の手段（ＣＰＵ）によって認識されるように適合され、どのコンテンツ（ＣＯＮＴ１−ＣＯＮＴ３）かに基づいて、少なくとも１つのアプリケーション・ソフトウェア（５０）が、前記認識されたコンテンツ（ＣＯＮＴ１−ＣＯＮＴ３）のために定められるように適合されたことを特徴とする電子機器。
【請求項１０】
少なくとも幾つかのアプリケーション・ソフトウェア（５０−５３）は、同じアプリケーション・スイート（６０）に属することが好ましいことを特徴とする請求項９に記載の機器（１０）。
【請求項１１】
少なくとも幾つかのアプリケーション・ソフトウェア（５０−５３）は、情報（ＩＮＦＯ）を埋め込むことができる、例えばテンプレートのような定型化要素（７０−７３）を含み、前記アプリケーション・ソフトウェア（５０−５３）に加えて、前記ターゲットは、少なくとも１つの定型化要素（７０−７３）であることを特徴とする請求項９又は請求項１０に記載の機器（１０）。
【請求項１２】
前記ターゲット（５０−５３、７０−７３）は、前記情報（ＩＮＦＯ）から認識された前記コンテンツ（ＣＯＮＴ１−ＣＯＮＴ３）に基づいて提案されるように適合されたことを特徴とする請求項９乃至請求項１１のいずれか１項に記載の機器（１０）。
【請求項１３】
前記ターゲット（５０−５３、７０−７３）は、前記情報（ＩＮＦＯ）から認識された前記コンテンツ（ＣＯＮＴ１−ＣＯＮＴ３）に基づいて確立されるように適合されたことを特徴とする、請求項９乃至請求項１１のいずれか１項に記載の機器（１０）。
【請求項１４】
前記情報（ＩＮＦＯ）を画像化する前に、前記コンテンツ（ＣＯＮＴ１−ＣＯＮＴ３）が選択されるように適合されたことを特徴とする請求項９乃至請求項１３のいずれか１項に記載の機器（１０）。
【請求項１５】
表示手段（ＤＩＳＰ）を含み、コンテンツ（ＣＯＮＴ１−ＣＯＮＴ３）は、前記表示手段（ＤＩＳＰ）によって視覚化された前記画像化された情報（ＩＮＦＯ）から選択されるように適合されたことを特徴とする請求項９乃至請求項１４のいずれか１項に記載の機器（１０）。
【請求項１６】
前記機器（１０）には、前記情報（ＩＮＦＯ）から前記コンテンツ（ＣＯＮＴ１−ＣＯＮＴ３）を認識するための、及び／又は、該コンテンツ（ＣＯＮＴ１−ＣＯＮＴ３）のために前記ターゲット（５０−５３、７０−７３）を定めるための、及び／又は、該コンテンツ（ＣＯＮＴ１−ＣＯＮＴ３）を前記ターゲット（５０−５３、７０−７３）にマッピングする、パターン認識知識（ＰＡＴ、ＭＥＴＡ）が与えられることを特徴とする請求項９乃至請求項１５のいずれか１項に記載の機器（１０）。
【請求項１７】
前記機器（１０）には、前記コンテンツ（ＣＯＮＴ１−ＣＯＮＴ３）に従って前記ターゲット（５０−５３、７０−７３）を管理するためのアダプタ（ＡＰＰＡＤ）が与えられることを特徴とする請求項９乃至請求項１６のいずれか１項に記載の機器（１０）。
【請求項１８】
格納媒体（ＭＥＭ）と、プロセッサ手段（ＣＰＵ）によって実行することができ、前記格納媒体（ＭＥＭ）内に書き込まれ、入力としてデジタル画像化された情報（ＩＮＦＯ）を受信し、それを少なくとも１つのターゲット（５０−５３、７０−７３）のために処理し、前記情報（ＩＮＦＯ）の少なくとも一部を、少なくとも１つのアプリケーション・ソフトウェア（５０−５３）である少なくとも１つのターゲット内に埋め込むように適合されたプログラム・コード（３１）とを含む、コンテンツ（ＣＯＮＴ１−ＣＯＮＴ３）を含む情報（ＩＮＦＯ）を処理するためのソフトウェア製品（３０）であって、前記プログラム・コード（３１）は、
前記デジタル画像化された情報（ＩＮＦＯ）に属する前記コンテンツ（ＣＯＮＴ１−ＣＯＮＴ３）の少なくとも一部を認識するように構成された第１のコード手段（３１．１）と、さらに、
前記認識されたコンテンツ（ＣＯＮＴ１−ＣＯＮＴ３）のために少なくとも１つのアプリケーション・ソフトウェア（５０）を定めるように構成された第２のコード手段（３１．２）と、
を含むことを特徴とするソフトウェア製品。
【請求項１９】
少なくとも幾つかのアプリケーション・ソフトウェア（５０−５３）は、情報（ＩＮＦＯ）を埋め込むことができる、例えばテンプレートのような定型化要素（７０−７３）を含み、前記アプリケーション・ソフトウェア（５０−５３）に加えて、前記ターゲットは、少なくとも１つの定型化要素（７０−７３）であることを特徴とする請求項１８に記載のソフトウェア製品（３０）。
【請求項２０】
前記プログラム・コード（３１）は、主として、前記デジタル画像化に関連して同時に実行されるように適合されたことを特徴とする請求項１８又は請求項１９に記載のソフトウェア製品（３０）。
【請求項２１】
前記プログラム・コード（３１）は、前記情報（ＩＮＦＯ）から認識された前記コンテンツ（ＣＯＮＴ１−ＣＯＮＴ３）に基づいて、ターゲット（５０−５３、７０−７３）を提案するように構成された第３のコード手段（３１．３）も含むことを特徴とする請求項１８乃至請求項２０のいずれか１項に記載のソフトウェア製品（３０）。
【請求項２２】
前記プログラム・コード（３１）は、前記情報（ＩＮＦＯ）から認識された前記コンテンツ（ＣＯＮＴ１−ＣＯＮＴ３）に基づいて、ターゲット（５０−５３、７０−７３）を確立するように構成された第４のコード手段（３１．４）も含むことを特徴とする請求項１８乃至請求項２１のいずれか１項に記載のソフトウェア製品（３０）。
【請求項２３】
前記プログラム・コード（３１）は、前記画像化された情報（ＩＮＦＯ）から選択されることになるコンテンツ（ＣＯＮＴ３）を定めるように構成された第５のコード手段（３１．５）も含むことを特徴とする請求項１８乃至請求項２２のいずれか１項に記載のソフトウェア製品（３０）。
【請求項２４】
前記プログラム・コード（３１）は、前記情報（ＩＮＦＯ）が画像化される前に選択されることになるコンテンツ（ＣＯＮＴ３）を定めるように構成された第６のコード手段（３１．６）も含むことを特徴とする請求項１８乃至請求項２３のいずれか１項に記載のソフトウェア製品（３０）。
【請求項２５】
前記プログラム・コード（３１）は、前記コンテンツ（ＣＯＮＴ１、ＣＯＮＴ２、８０、８１．１）を前記ターゲット（５２）内に埋め込み、例えば、該ターゲット（５２）に適した該コンテンツ（ＣＯＮＴ１、ＣＯＮＴ２、８０、８１．１）の変換を行うように構成された第７のコード手段（３１．７）も含むことを特徴とする請求項１８乃至請求項２４のいずれか１項に記載のソフトウェア製品（３０）。
【請求項２６】
前記プログラム・コード（３１）のコード手段（３１．１−３１．６）の少なくとも一部は、前記アプリケーション・ソフトウェア（５０−５３）と共に統合されることを特徴とする請求項１８乃至請求項２５のいずれか１項に記載のソフトウェア製品（３０）。
【請求項２７】
前記情報（ＩＮＦＯ）からコンテンツ（ＣＯＮＴ１−ＣＯＮＴ３）を認識するための、及び／又は、前記コンテンツ（ＣＯＮＴ１−ＣＯＮＴ３）のためにターゲット（５０−５３、７０−７３）を定めるための、及び／又は、該コンテンツ（ＣＯＮＴ１−ＣＯＮＴ３）を前記ターゲット（５０−５３、７０−７３）にマッピングする、パターン認識知識（ＰＡＴ、ＭＥＴＡ）が、前記プログラム・コード（３１）と共に配置されることを特徴とする請求項１８乃至請求項２６のいずれか１項に記載のソフトウェア製品（３０）。
【請求項２８】
間に配置された選択されたインターフェースを用いてデータを２つの装置間で伝送する、データ伝送インターフェースを電子装置間に配置する方法であって、前記方法は、
前記情報（ＩＮＦＯ）を有する第１の装置において、前記データを情報（ＩＮＦＯ）として視覚化し、
前記情報（ＩＮＦＯ）が、第２の装置によってデジタル画像化され、
前記画像化された情報（ＩＮＦＯ）が、伝送されることになる前記データとなるように変換される、
段階において行われ、
前記データ伝送インターフェースは、カメラ・インターフェースであることを特徴とする方法。
【請求項２９】
請求項１乃至請求項８のいずれか１項に記載の方法と共に用いるように適合させることができることを特徴とするカメラ要素（ＣＡＭ）。
【請求項３０】
請求項９至請求項１７のいずれか１項に記載の電子機器（１０）において使用するように適合させることができることを特徴とするカメラ要素（ＣＡＭ）。
【請求項３１】
電子情報を形成するための、請求項１乃至請求項８のいずれか１項に記載の方法の使用。
【請求項３２】
電子情報を形成するための、請求項９乃至請求項１７のいずれか１項に記載の電子機器（１０）の使用。
【国際調査報告】
2008519345.tif 000009
2008519345.tif 000010